(57)【要約】【課題】  来訪者が撮像させたい対象を玄関子機カメラに確実に撮像させることができ、更に名刺等の文字情報を撮像させた場合は、その文字情報を読み取り可能に撮像されたかどうか来訪者が確認することができるインターホンシステムを提供する。【解決手段】  玄関子機１のカメラ５の撮像映像を録画する録画部１７と、撮像対象とカメラ５の間の距離を測定する距離測定部４と、測定した距離が所定範囲内である場合にカメラ５の撮像映像を録画部１７に録画操作する制御部２１と、録画映像から文字情報を読み取るＯＣＲ処理部２４と、読取った文字情報を音声変換するＴＴＳ処理部２５とを有し、変換された音声を玄関子機１のスピーカ部７から報音させて来訪者が確認できるようにした。【選択図】  図１
2009130521.tif 000002
【特許請求の範囲】
【請求項１】
居住者を呼び出す機能を有すると共に来訪者を撮像するためのカメラを備えた玄関子機と、前記玄関子機からの呼び出しに応答する機能を有すると共に前記カメラの撮像映像を出画するモニタを備えた居室親機とを有するテレビインターホン装置において、
前記カメラの撮像映像を録画する録画手段と、来訪者等の撮像対象と前記カメラの間の距離を測定する距離測定手段と、前記距離測定手段が測定した距離が所定範囲内である場合にカメラ撮像映像を前記録画手段に録画操作する録画制御手段と、を備えたことを特徴とするテレビインターホン装置。
【請求項２】
前記所定範囲内であって特に定めた至近距離に前記撮像対象がある場合に、文字情報の提示と判断して録画映像から文字情報を読み取る文字読取手段を備えたことを特徴とする請求項１記載のテレビインターホン装置。
【請求項３】
前記文字読取手段が読取った文字情報を音声変換する音声変換手段を有し、変換された音声を前記玄関子機のスピーカ部から報音させる報音制御手段を備えたことを特徴とする請求項２記載のテレビインターホン装置。
【請求項４】
前記録画制御手段は、前記玄関子機のスピーカから音声変換した文字情報を報音させた後、前記特に定めた至近距離に再度撮像対象が提示された場合に、再録画すると共に前記音声変換手段に音声変換させて前記玄関子機のスピーカから再報音させることを特徴とする請求項３記載のテレビインターホン装置。
【請求項５】
前記録画制御手段は、録画手段に再録画する場合、直前の録画映像に上書きすることを特徴とする請求項４記載のテレビインターホン装置。
【発明の詳細な説明】
【技術分野】
【０００１】
本発明はテレビインターホン装置に関し、詳しくは玄関子機カメラが撮像した来訪者映像を録画する機能を備えたインターホン装置に関する。
【背景技術】
【０００２】
来訪者が玄関子機を操作したら、カメラが自動的に起動して来訪者を撮像し、居室親機のモニタに出画させるテレビインターホン装置が普及している。このようなテレビインターホン装置に、撮像した映像或いは画像を自動或いは所定の操作で録画する機能を備えたものがある（例えば、特許文献１参照）。
【特許文献１】特開２００１−９４９７７号公報
【発明の開示】
【発明が解決しようとする課題】
【０００３】
しかしながら、上記従来のテレビインターホン装置は、来訪者の分からないタイミングで録画され、来訪者が録画してほしい映像を確実に録画するよう構成されてはいなかった。そのため、名刺やＩＤカード等の身分を証明するもの、或いは連絡先がわかるものを提示しても、それが録画されたかどうか来訪者が確認することができず、来訪者は不安を抱いた状態でその場を去るしかなかった。
【０００４】
そこで、本発明はこのような問題点に鑑み、来訪者が撮像させたい対象を玄関子機カメラに確実に撮像させることができ、更に名刺等の文字情報を撮像させた場合は、その文字情報を読み取り可能に撮像されたかどうか来訪者が確認することができるテレビインターホン装置を提供することを目的とする。
【課題を解決するための手段】
【０００５】
上記課題を解決する為に、請求項１の発明は、居住者を呼び出す機能を有すると共に来訪者を撮像するためのカメラを備えた玄関子機と、玄関子機からの呼び出しに応答する機能を有すると共にカメラの撮像映像を出画するモニタを備えた居室親機とを有するインターホン装置において、カメラの撮像映像を録画する録画手段と、来訪者等の撮像対象とカメラの間の距離を測定する距離測定手段と、距離測定手段が測定した距離が所定範囲内である場合にカメラ撮像映像を録画手段に録画操作する録画制御手段と、を備えたことを特徴とする。
この構成によれば、玄関子機のカメラから所定距離に来訪者が移動するか、物を翳せば録画が開始される。よって、この距離を来訪者が認識することで来訪者の意思で撮像させたい対象を録画させることが可能となる。
【０００６】
請求項２の発明は、請求項１に記載の発明において、所定範囲内であって特に定めた至近距離に撮像対象がある場合に、文字情報の提示と判断して録画映像から文字情報を読み取る文字読取手段を備えたことを特徴とする。
この構成によれば、特定の至近距離に名刺等を掲げた場合にその文字情報を読み取る。よって、その文字情報を居室親機に表示等させれば、居住者はいちいち撮像映像を見て読み取る必要がなく来訪者の認識がし易い。
【０００７】
請求項３の発明は、請求項２に記載の発明において、文字読取手段が読取った文字情報を音声変換する音声変換手段を有し、変換された音声を玄関子機のスピーカ部から報音させる報音制御手段を備えたことを特徴とする。
この構成によれば、撮像させた文字情報が読み取られたかどうか来訪者が確認することができるので、来訪者は安心できる。而も音声によって確認でき、確認し易い。
【０００８】
請求項４の発明は、請求項３に記載の発明において、録画制御手段は、玄関子機のスピーカから音声変換した文字情報を報音させた後、特に定めた至近距離に再度撮像対象が提示された場合に、再録画すると共に音声変換手段に音声変換させて玄関子機のスピーカから再報音させることを特徴とする。
この構成によれば、文字情報の読み取りが不完全であった場合に、容易に再録画させることができるため、来訪者は再録画に手間取るようなことがなくスムーズに再録画させることができる。
【０００９】
請求項５の発明は、請求項４に記載の発明において、録画制御手段は、録画手段に再録画する場合、直前の録画映像に上書きすることを特徴とする。
この構成によれば、不必要な録画画像は録画と同時に消去されるので、録画手段の録画エリアを有効活用できる。
【発明の効果】
【００１０】
本発明によれば、玄関子機のカメラから所定距離に来訪者が移動するか、物を翳せば録画が開始される。よって、この距離を来訪者が認識することで来訪者の意思で撮像させたい対象を録画させることができ。また、名刺等を録画させた場合に、撮像させた文字情報が読み取られたかどうか来訪者が確認することができるので、来訪者は安心できる。
【発明を実施するための最良の形態】
【００１１】
以下、本発明を具体化した実施の形態を、図面に基づいて詳細に説明する。図１は本発明に係るテレビインターホン装置の一例を示すブロック図であり、１は来訪者が居住者を呼び出すための玄関子機、２は居住者が玄関子機からの呼び出しに応答するための居室親機であり、双方は伝送線３で接続されている。尚、Ｆは来訪者を示している。
【００１２】
玄関子機１は、操作者（来訪者）までの距離を判別する距離測定部４、来訪者を撮像するためのカメラ５、居住者と通話するためのマイク部６部及びスピーカ部７、呼出ボタン８、居室親機２と通信するためのインターフェース（子機ＩＦ部）９等を備えている。距離測定部４は、赤外線発光部１１、赤外線受光部１２、距離判定部１３を備えた公知のＰＳＤ（Ｐｏｓｉｔｉｏｎ  Ｓｅｎｓｉｔｉｖｅ  Ｄｅｔｅｃｔｏｒ）の技術が使用され、前方の撮像対象物まで距離を三角測量の原理で測定し、数ｃｍの距離から、２００ｃｍ程度までの距離を判定できるよう構成されている。
【００１３】
尚、図１に示す距離Ａは１０ｃｍ程度の距離を示し、この距離に撮像対象がある場合、居室親機２は後述する文字情報を判読する所定の制御を実施する。また、距離Ｂは５０ｃｍ程度の距離を示し、この距離に撮像対象がある場合は来訪者の顔等があると判断して録画するし、距離Ｃは２００ｃｍ程度の距離を示し、この距離に撮像対象がある場合は、来訪者の略全身があるものとして録画する。
【００１４】
居室親機２は、応答操作や録画再生操作等各種操作を行う操作部１５、各種メッセージ音声を記憶する音声記憶部１６、カメラ５の撮像映像を録画する録画部１７、カメラ５の撮像映像を出画するモニタ１８、来訪者と通話するためのマイク部１９及びスピーカ部２０、居室親親機２及び玄関子機１を制御する制御部２１、玄関子機１と通信するインターフェース（親機ＩＦ部）２２等を備えている。
そして、制御部２１にはカメラ５で撮像されて録画された映像から文字情報を判読して文字情報化するＯＣＲ（Ｏｐｔｉｃａｌ  Ｃｈａｒａｃｔｅｒ  Ｒｅａｄｅｒ）処理部２４と、文字情報を音声変換するＴＴＳ（Ｔｅｘｔ  Ｔｏ  Ｓｐｅｅｃｈ）処理部２５が内蔵されている。
【００１５】
このように構成されたテレビインターホン装置について、以下、動作を説明する。図２は動作の流れを示すフローチャートであり、このフローに基づいて説明する。まず、来訪者が居住者を呼出すため玄関子機１の呼出ボタン８を操作すると、呼出信号が居室親機２に伝送され、居室親機２のスピーカー部２０から呼出音が鳴動する。
こうして子機呼出状態（Ｓ１）となり、居住者へ呼び出しがなされていることを通知する。同時に、カメラ５が起動して撮像映像が同様の経路を通って居室親機２に伝送され、制御部２１を経由してのモニタ１８に表示される。この呼び出しを受けて、居住者が操作部１５を操作して応答（Ｓ２）すると、玄関子機１を介して来訪者との間で通話（Ｓ３）を行うことができる（ここまでは従来の動作と同様）。
【００１６】
しかし、居室親機２による応答が無いまま一定の時間（ここでは２０秒）経過（Ｓ４）したら、制御部２１は来訪者へ録画操作の方法を伝達した後、文字情報読取モードへ移行する。来訪者への伝達は具体的に、音声記憶部１６に記憶されている音声メッセージ「録画します。連絡先などを残したい方は、名刺などをカメラの前１０ｃｍ程度に掲げてください。」を読み出して玄関子機１に伝送し、スピーカ部７から第１のメッセージとして報音させる（Ｓ５）。
この文字情報読取モードに入ると、距離測定部４の赤外線発光部１１から赤外線が照射され、アナウンスを受けて来訪者が掲げた手或いは名刺に反射して、赤外線受光部１２に入力される。この反射光から、距離判定部１３が距離を判定（Ｓ６）し、居室親機２に伝送する。
【００１７】
制御部２１は、この距離情報を受けて１０ｃｍ前後（例えば、５〜２０ｃｍ）の特定の至近距離に設定時間（例えば２秒）翳されていることを認識したら（Ｓ７）、居室親機２の音声記憶部１６に記憶されている音声メッセージ「３秒後に撮影します。３・２・１、カシャ」を読み出す。そして、玄関子機１に伝送してスピーカ部７から第２のメッセージとして報音させ（Ｓ１０）、「カシャ」のタイミングで撮像画像を録画する。尚、この時の録画は静止画の録画であっても良いし、連続した映像の録画であっても良い。また、最初のアナウンスの後、２０秒経過（Ｓ８）しても特定の至近距離に撮像対象が提示されなければ（Ｓ８）、呼出操作する前の待受モードに戻る（Ｓ９）。
【００１８】
この第２のメッセージにより、カメラ５で撮像された映像は居室親機２に伝送され、最初の録画かどうか判断（Ｓ１１）し、最初の録画であるため記録部１７に新たに録画（Ｓ１３）される。そして、この録画映像から、制御部２１のＯＣＲ処理部２４が文字情報を判読（Ｓ１４）し、ＴＴＳ処理部２５が音声化（Ｓ１５）する。音声化された読取情報は玄関子機１に伝送されて、スピーカ部６より報音される（Ｓ１６）。この報音により、来訪者は自身が掲げた名等刺が判読されたかどうか認識できる。
【００１９】
そして、制御部２１は引き続き居室親機２の音声記憶部１６に記憶されている音声メッセージ「撮り直したい場合はもう一度カメラの前１０ｃｍ程度に掲げてください。」を読み出し、玄関子機１に伝送してスピーカ部７から第３のメッセージとして報音させる。このとき、距離判定部１３は動作を続け、１０ｃｍ前後に位置に再度名刺等が掲げられたら（Ｓ６）、制御部２１は上記第２のメッセージを報音して撮像し、文字情報の判読を再度実施する。このときの録画は再録画となるため、前回の録画と判断され（Ｓ１１）、上書きして前回の録画は消去される（Ｓ１２）。一方、こうして録画された映像は、操作部１５を所定の再生操作をすることにより、制御部２１の制御でモニタ１８に表示され、確認することができる。
【００２０】
このように、玄関子機のカメラから所定距離に来訪者が移動するか、物を翳せば録画が開始される。よって、この距離をアナウンスして来訪者に認識させることで来訪者の意思で撮像させたい対象を録画させることができる。
また、特定の至近距離に名刺等を掲げた場合にその文字情報を読み取るので、その文字情報を居室親機に表示等させれば、居住者はいちいち撮像映像を見て読み取る必要がなく来訪者の認識がし易い。
そして、撮像させた文字情報が読み取られたかどうか来訪者が確認することができるので、来訪者は安心できる。而も音声とよって確認でき、確認し易い。
更に、文字情報の読み取りが不完全であった場合に、容易に再録画させることができるため、来訪者は再録画に手間取るようなことがなくスムーズに再録画させることができるし、不必要な録画画像は消去されるので、録画手段の録画エリアを有効活用できる。
【００２１】
尚、上記実施形態では、録画動作する所定範囲の距離を名刺等を読み取るために１０ｃｍとしたが、顔等を鮮明に録画したい場合は、「５０ｃｍほどの距離に顔を近づけてください」等のメッセージを流して、この距離を測定したら録画させても良いし、全身を録画したい場合は、「２メートルほど離れてお立ちください」等のメッセージを流すと良い。更にはこれらのメッセージを組み合わせて実施しても良い。
また、何れの距離の録画においても、来訪者の音声を合わせて録音しても良く、来訪者を確認し易い。
【図面の簡単な説明】
【００２２】
【図１】本発明の実施形態の一例を示すテレビインターホンシステムの一例を示すブロック図である。
【図２】玄関子機が呼出操作された場合の動作を示すフローチャートである。
【符号の説明】
【００２３】
１・・玄関子機、２・・居室親機、４・・距離測定部（距離測定手段）、５・・カメラ、７・・スピーカ部、１３・・距離判定部、１５・・操作部、１７・・録画部、１８・・モニタ、２１・・制御部（録画制御手段、報音制御手段）、２４・・ＯＣＲ処理部（文字読取手段）、２５・・ＴＴＳ処理部（音声変換手段）。
【図１】
2009130521.tif 000003
【図２】
2009130521.tif 000004